(57)【要約】【課題】コンテナによる商品の輸送においては、湿度調節材を使用しても、コンテナ内の湿度や温度の変化が早く一時的に結露を生じる場合があることが分かった。コンテナ内で結露が発生した場合、例えば食品や紙などでは、水分が付着したことによって斑点や汚れ等が生じてしまう等、品質管理上問題となっている。温度や湿度が急激に変化しても一定湿度に調節可能な、吸放湿応答に優れた湿度調節材を提供することを目的とする。【解決手段】吸水ポリマーを含有するゴムからなる湿度調節材において、前記湿度調節材の比表面積が１ｍ２／ｋｇ以上３ｍ２／ｋｇ以下であることを特徴とする湿度調節材とすることにより、温度や湿度が急激に変化しても一定湿度に調節可能な、吸放湿応答に優れた湿度調節材を得ることができる。【選択図】図１
2006095450.tif 000002
【特許請求の範囲】
【請求項１】
吸水ポリマーを含有するゴムからなる湿度調節材において、前記湿度調節材の比表面積が１ｍ２／ｋｇ以上３ｍ２／ｋｇ以下であることを特徴とする湿度調節材。
【発明の詳細な説明】
【技術分野】
【０００１】
本発明は、湿度調節材に関し、詳しくは温度や湿度が急激に変化しても一定湿度に調節可能な、吸放湿応答に優れた湿度調節材に関する。
【背景技術】
【０００２】
食品や紙などをコンテナ輸送する際に、その品質保持のため湿度を調整する必要がある。湿度が高すぎると、最悪の場合には食品が腐ったり、紙が変形してしまう恐れがあるためである。
【０００３】
前記コンテナ内の湿度調節方法としては、シリカゲルやカルシウムのような乾燥剤を用いる方法が一般的である。しかし、前記乾燥剤は、湿気を限界まで吸収するとその後は吸湿能力が無くなるため、湿度調節効果が一過性で長続きしないものであった。
【０００４】
また、湿度が低く乾燥した状態で長時間放置されると、例えば食品の鮮度が落ちたり、紙などでは静電気を帯びたりするなど品質に問題が出るが、前記乾燥剤は放湿機能がないため、乾燥しすぎた場合などには対応が出来ないものであった。
【０００５】
そこで、特許文献１のように、湿気を吸収するのみでなく吸収した水分を放出できる湿度調節材が開発されている。このような湿度調節材を使用すれば、長期間にわたってコンテナ内の湿度を所定範囲に調節できるという利点がある。
【０００６】
ところで、前述したようなコンテナによる商品の輸送においては、特許文献１の湿度調節材を使用しても、コンテナ内の湿度や温度の変化が早く一時的に結露を生じる場合があることが分かった。コンテナ内で結露が発生した場合、例えば食品や紙などでは、水分が付着したことによって斑点や汚れ等が生じてしまう等、品質管理上問題となっている。
【特許文献１】特開２００３−１１９４０３号公報
【発明の開示】
【発明が解決しようとする課題】
【０００７】
本発明は前記全ての問題を解決し、温度や湿度が急激に変化しても一定湿度に調節可能な、吸放湿応答に優れた湿度調節材を提供することを目的とする。
【課題を解決するための手段】
【０００８】
発明者らは鋭意検討した結果、湿度調節材が特定の比表面積を有する場合に、結露防止効果が高く、温度や湿度が急激に変化しても一定湿度に調節可能で吸放湿応答に優れることを見出した。本発明はこれらの知見に基いてなされたものである。
【０００９】
すなわち、本発明は
（１）吸水ポリマーを含有するゴムからなる湿度調節材において、前記湿度調節材の比表面積が１ｍ２／ｋｇ以上３ｍ２／ｋｇ以下であることを特徴とする湿度調節材、
によって提供される。
【発明の効果】
【００１０】
本発明の湿度調節材は、特定の比表面積を有するため、結露を防止することが可能な吸放湿応答に優れた湿度調節材である。
【発明を実施するための最良の形態】
【００１１】
本発明の湿度調節材は、吸水ポリマーを含有するゴムで構成されている。
【００１２】
吸水ポリマーの種類やその配合量は、設置された空間内を所定の湿度範囲で調節できるものであれば特に限定はない。吸水性ポリマーとしては例えば、アクリル酸塩・アクリルアミド共重合体、ポリビニルアルコール・無水マレイン酸反応物、ポリアクリロニトリル共重合体等が挙げられる。
【００１３】
吸水ポリマーの種類やその配合量は、設置された空間内を所定の湿度範囲で調節できるものであれば特に限定はない。吸水性ポリマーとしては例えば、アクリル酸塩・アクリルアミド共重合体、ポリビニルアルコール・無水マレイン酸反応物、ポリアクリロニトリル共重合体等が挙げられる。
【００１４】
また、使用するゴムの種類に特に限定はないが、例えばクロロプレンゴム、ブチルゴム、エチレンプロピレンゴム、スチレンブタジエンゴム、アクリルゴム、ブタジエンゴム、イソプレンゴムなどの合成ゴムや、スチレン系エラストマー、オレフィン系エラストマー、ポリアミド系エラストマー、ウレタン系エラストマー、ポリエステル系エラストマー、塩化ビニル系エラストマーなどの熱可塑性エラストマー等が挙げられる。また、使用するゴムは、非加硫でも加硫されていてもよい。本発明の湿度調節材は、例えば、特開２００３−１１９４０３号に記載されている方法により作製することが出来る。
【００１５】
本発明の湿度調節材はその表面積が１ｍ２／ｋｇ以上３ｍ２／ｋｇ以下のものである。好ましくはその表面積が１ｍ２／ｋｇ以上１．５ｍ２／ｋｇ以下である。表面積が１ｍ２／ｋｇ未満だと十分な吸放湿応答特性が得られず、３ｍ２／ｋｇを超えると湿度調節材の形状が複雑になり、ハンドリングに問題がある場合がある。表面積を前記範囲に設定することにより、吸放湿応答が速く、設置された空間内の湿度が急激に変化しても結露を生じることなく、一定湿度に調整が可能となる。
【００１６】
本発明の湿度調節材は、前記表面積を有するものであれば、いかなる形状でもよいが、例えば、表面に凹凸の形状を設けたもの（図１）や、粒子状にしたもの（図２）などを用いることが可能である。
【００１７】
本発明の湿度調節材は、必要に応じて形状保持のためのプラスチックシートをその片面に有するものでもよい。
【実施例】
【００１８】
以下、本発明を実施例に基いて更に詳細に説明するが、本発明はこれらに限定されるものではない。
【００１９】
湿度調節材の調製
アクリルゴム（アアクロンＰＳ２５０（商品名）、トウペ（株）製）４０質量部、アクリル酸塩系高級水ポリマー（サンフレッシュＳＴ５００ＭＰＳ（商品名）、三洋化成（株）製）６０質量部、可塑剤、ステアリン酸、酸化チタンおよびカーボンブラックをニーダーで混合し、カレンダロールにて圧延して湿度調節材の原料シートを作製した。
【００２０】
実施例１
得られた湿度調節材の原料シートを、図１に示すように表面に凹凸を設けた形状にプレス加工し、サイズ０．２１ｍ×０．２９７ｍ（Ａ４大）の湿度調節材１を得た。さらに、凹凸を形成した面の反対側に形状保持のためのプラスチックシート２を張り合わせ、湿度調節材Ａを得た。得られた湿度調節材Ａの比表面積は１．２９ｍ２／ｋｇ、プラスチックシート２を除いた湿度調節材１の質量は０．０７ｋｇであった。
【００２１】
実施例２
得られた湿度調節材の原料シートを、図２に示すように０．００５ｍ角の立方体にした湿度調節材１を得た。さらに、０．００５ｍ角の湿度調節材をサイズ０．２１ｍ×０．２９７ｍ（Ａ４大）の不織布からなる袋に封入して、湿度調節材Ｂを得た。得られた湿度調節材Ｂの比表面積は１．０９ｍ２／ｋｇ、不織布からなる袋を除いた湿度調節材１の質量は合わせて０．０７ｋｇであった。
【００２２】
実施例３
湿度調節材を０．００２ｍ角とした他は実施例２と同様の方法で湿度調節材Ｃを得たが、実施例２と比較して加工にかかる時間が倍となった。得られた湿度調節材Ｃの比表面積は２．７３ｍ２／ｋｇ、不織布からなる袋を除いた湿度調節材の質量は０．０７ｋｇであった。
【００２３】
比較例１
得られた湿度調節材の原料シートを、図４に示すようにサイズ０．２１ｍ×０．２９７ｍ（Ａ４大）に加工し、さらに、形状保持のためのプラスチックシート２を張り合わせ、湿度調節材Ｄを得た。得られた湿度調節材Ｄの比表面積は０．４７ｍ２／ｋｇ、プラスチックシート２を除いた湿度調節材１の質量は０．１４ｋｇであった。
【００２４】
比較例２
得られた湿度調節材の原料シートを、図２に示すように０．００１ｍ角の立方体にした湿度調節材を作製しようとしたところ、粒径が小さいため加工が困難であった。
【００２５】
実施例・比較例について吸湿スピードおよび運送実験の評価を行った。
【００２６】
（吸湿スピード）
実施例１〜３および比較例１の湿度調節材を、温度４０℃、湿度９０％ＲＨの恒温湿槽に設置した。１０時間後の吸湿率が５０以上で合格である。
【００２７】
結果を図３に示す。実施例１〜３の湿度調節材は、吸水率の立ち上がりが急であり、比較例１と比較して、吸湿スピードに優れているのがわかる。また実施例１〜３の湿度調節材は、１０時間後の吸湿率がいずれも５０％以上となっているのに対し、比較例１は３０％台と低い値となっていることが分かる。
【００２８】
（運送実験）
１ｍ３のコンテナ内に、Ａ４の紙４０００枚を５００枚ずつの束にしたものを搬入したものを４つ用意し、それぞれに実施例１〜３および比較例１の湿度調整材を５００ｇずつ設置した。
【００２９】
これらのコンテナを夕方から明け方にかけて運送実験を行った。実験終了後内部の紙の束を調べたところ、比較例１の湿度調節材を使用したコンテナでは、紙の一部に露の後の斑点が認められた。それ以外の実施例１〜３の湿度調節剤を使用したコンテナでは、いずれも紙の束に問題は見られなかった。
【００３０】
以上のように、本発明の湿度調節材は、特定の比表面積を有するため、結露を防止することが可能な吸放湿応答に優れた湿度調節材である。
【図面の簡単な説明】
【００３１】
【図１】本発明の湿度調節材の一実施形態を示す概略図である。
【図２】本発明の抗菌性湿度調節材の他の実施形態を示す概略図である。
【図３】吸湿スピードの評価結果を表すグラフである。
【図４】従来（比較例１）の湿度調節材を示す概略図である。
【符号の説明】
【００３２】
１：湿度調節材
２：プラスチックシート
【図１】
2006095450.tif 000003
【図２】
2006095450.tif 000004
【図３】
2006095450.tif 000005
【図４】
2006095450.tif 000006